(57)【特許請求の範囲】
【請求項１】
固定端子と可動端子とで構成された開閉接点を有し、前記固定端子の固定側支持部に固定バネを接合した固定側複合接合部と、前記可動端子の可動側支持部に、前記固定バネの板厚寸法より小さい板厚寸法の可動バネを接合した可動側複合接合部とを端子取付部材の圧入取付部への圧入部にした開閉接点構造であって、
前記固定側複合接合部と前記可動側複合接合部とが同じ厚さ寸法になるようにすると共に、前記固定側支持部に段差部を形成し、この段差部に前記固定バネを接合して前記固定側複合接合部を形成し、且つ、前記固定側支持部の板厚と前記可動側支持部の板厚とは同寸法であると共に、前記段差部の深さ寸法が前記固定バネの板厚から前記可動バネの板厚を減じた値であることを特徴とする開閉接点構造。
【請求項２】
前記段差部に前記固定バネを加締めにより固着して前記固定側複合接合部としての固定側複合加締め部を形成するようにしたことを特徴とする請求項１に記載の開閉接点構造。
【請求項３】
前記段差部に加締め用突起部を設け、前記固定バネに加締め用穴部を設けて、前記段差部に前記固定バネを沿わせて前記加締め用突起部を前記加締め用穴部に挿入し、前記加締め用突起部を加締めることで前記固定側複合加締め部を形成するようにしたことを特徴とする請求項２に記載の開閉接点構造。
【請求項４】
前記段差部と前記加締め用突起部とは一体に成形加工されていることを特徴とする請求項３に記載の開閉接点構造。
【請求項５】
前記段差部に前記固定バネを溶接により固着して前記固定側複合接合部を形成し、前記可動側支持部に、前記可動バネを溶接により固着して前記可動側複合接合部を形成するようにしたことを特徴とする請求項１に記載の開閉接点構造。
【請求項６】
請求項１乃至請求項５のいずれか一に記載の開閉接点構造を備えるリレー。
【発明の詳細な説明】
【技術分野】
【０００１】
本発明は、複数の開閉接点を備えた多極型の電磁リレーなどに使用される開閉接点構造並びにこの開閉接点を備えるリレーに関する。
【背景技術】
【０００２】
一般に、多極型の電磁リレーにおいては、複数の開閉接点、例えば、６極の開閉接点を一パッケージにしているものがあり、開閉接点の構成はａ接点とｂ接点とであり、６極の開閉接点の内の５極がａ接点で１極がｂ接点で構成されるし、また、４極の開閉接点を一パッケージにした場合になると、３極がａ接点で１極がｂ接点で構成される等である。このような多極型の電磁リレーの開閉接点構造を実現するために、ａ接点、ｂ接点の数を入れ替えるようにしている。なお、ａ接点は、固定端子を、例えば右に、可動端子を左にそれぞれ対向配置した開閉接点であるとすると、ｂ接点では、固定端子を左に、可動端子を右にそれぞれ対向配置した開閉接点である。
【０００３】
電磁リレーは年々小型化していて、各開閉接点を開閉作動させる作動力（吸引力）を発生する電磁石ブロックも小型化を余儀なくされており、小さい作動力（吸引力）で各開閉接点を開閉作動させるために、各開閉接点の可動端子の可動バネと固定端子の固定バネの板厚を変えており、固定バネに対して可動バネは、その板厚が薄くしてある。
【０００４】
また、電磁リレーにおける各開閉接点では、それぞれの固定端子及び可動端子の端子支持部の配置が複雑になされるために、図３２に示すように、固定端子３００では、これの端子支持部３０１に固定バネ３０２をカシメピン３０３で加締めて取付けて、この加締め部分を複合加締め部分３００Ｆとし、また、図３３に示すように、可動端子３０４では、これの端子支持部３０５に可動バネ３０６をカシメピン３０７で加締めて取付けて、この加締め部分を複合加締め部分３０４Ｆにしている。
【０００５】
この場合、固定端子３００の端子支持部３０１の板厚と可動端子３０４の端子支持部３０５の板厚とが同じであり、固定バネ３０２に対して可動バネ３０４は、その板厚を薄くしているために、固定端子３００側の複合加締め部分３００Ｆと可動端子３０４側の複合加締め部分３０４Ｆに厚さ寸法の違いが生じることになる。また、電磁リレーの特性上等、組立て性能の観点から、複合加締め部分３００Ｆ、３０４Ｆをカバーの圧入取付部（いずれも図示せず）に圧入するという構造にしてある。
【０００６】
従来の、この種の電磁リレーとしては、樹脂成形されたカバーの上に、電磁石ブロック及び可動ブロックを縦姿勢で組み付けると共に、複数の開閉接点を、隔壁を挟んで前後２列に左右に並列装備して、各開閉接点における固定端子と可動端子とをカバーに圧入して端子足部をカバーの面部から突設したものが知られている（特許文献１参照）。
【０００７】
また、従来の、この種の電磁リレーとしては、ハウジングの内部を隔壁で縦方向（例えば、上下方向）に二つの開閉接点収容部に区画し、上段の開閉接点収容部に、固定端子と可動端子とからなる開閉接点を、固定端子の固定バネ及び可動端子の可動バネが隔壁に対して平行状態にして、それぞれ二組配置し、固定端子と可動端子とをカバーに圧入して固定端子足部と可動端子足部をカバーから突出させ、また、下段の開閉接点収容部に、固定端子と可動端子とからなる開閉接点を、固定端子の固定バネ及び可動端子の可動バネが隔壁に対して平行状態にして、それぞれ二組配置し、固定端子と可動端子とをカバーに圧入して固定端子足部と可動端子足部をカバーから突出させる構成にしたものがある（特許文献２参照）。
【特許文献１】特開平２０００−２８５７８２号公報
【特許文献２】特開平１１−２７３５３０号公報
【発明の開示】
【発明が解決しようとする課題】
【０００８】
上記したように、従来の電磁リレーにおける各開閉接点では、固定端子３００側の複合加締め部分３００Ｆと可動端子３０４側の複合加締め部分３０４Ｆに厚さ寸法の違いが生じ、複合加締め部分３００Ｆ、３０４Ｆをカバーの圧入取付部に圧入する構造をとっているために、上記したように、必要な極数の電磁リレーの開閉接点構造を実現するために、ａ接点、ｂ接点の数を入れ替えるようにするには、圧入構成の異なるカバーが複数必要になり、製作コストが嵩むという問題点があった。
【０００９】
また、電磁リレーにおける各開閉接点において、固定端子３００の端子支持部３０１の板厚と可動端子３０４の端子支持部３０５の板厚を変えて、固定端子３００側の複合加締め部分３００Ｆと可動端子３０４側の複合加締め部分３０４Ｆに厚さ寸法を同じにするという考えもあるが、板厚を変えた端子支持部３０１，３０５は、一定の板厚のリードフレームを打ち抜き加工して作製することが出来ず、固定端子３００の端子リード部専用のリードフレームと、可動端子３０４の端子リード部専用のリードフレームとが必要になり、リードフレームのそれぞれを、別個の加工設備に供給して加工する必要があった。
【００１０】
また、固定端子３００及び可動端子３０４を作製するに際して、固定端子３００の構成部品は、端子支持部３０１、固定バネ３０２、カシメピン３０３及び固定接点３０８の４個になり、また、可動端子３０４では、端子支持部３０５、可動バネ３０６、カシメピン３０７及び可動接点３０９の４個になる。
【００１１】
この場合、接点加締めや、固定側支持部３０１及び可動側支持部３０５のカット、挿入、圧入の段階で金型が異なることから、固定端子３００及び可動端子３０４の部品を個別に供給しており、設備台数が増加するという問題点があった。
【００１２】
本発明は、このような実情に着目してなされたものであって、その目的とするところは、各開閉接点において、固定側複合加締め部と可動側複合加締め部とを同じ厚さ寸法にして、ａ接点、ｂ接点の数の入れ替えを可能にし、端子取付部材の個数の減少による製作コストの低減に寄与する開閉接点構造並びにこの開閉接点を備えるリレーを提供することである。
【課題を解決するための手段】
【００１３】
上記目的を達成するため、本発明に係る開閉接点構造は、  固定端子と可動端子とで構成された開閉接点を有し、前記固定端子の固定側支持部に固定バネを接合した固定側複合接合部と、前記可動端子の可動側支持部に、前記固定バネの板厚寸法より小さい板厚寸法の可動バネを接合した可動側複合接合部とを端子取付部材の圧入取付部への圧入部にした開閉接点構造であって、前記固定側複合接合部と前記可動側複合接合部とが同じ厚さ寸法になるようにすると共に、前記固定側支持部に段差部を形成し、この段差部に前記固定バネを接合して前記固定側複合接合部を形成し、且つ、前記固定側支持部の板厚と前記可動側支持部の板厚とは同寸法であると共に、前記段差部の深さ寸法が前記固定バネの板厚から前記可動バネの板厚を減じた値であることを特徴とするものである。
【００１４】
かかる構成により、各開閉接点において、固定側複合接合部と可動側複合接合部とが同じ厚さ寸法にしてあるために、端子取付部材の圧入取付部を同じ形状にすることで、例えば、必要な極数の電磁リレーの開閉接点構造を実現するために、ａ接点、ｂ接点の数を入れ替えするような場合、ａ接点、ｂ接点の数を入れ替えすることが可能になり、端子取付部材の個数が低減できて製作コストを安価にすることができ、しかも、段差部に固定バネを接合して固定側複合接合部を構成することで、この固定側複合接合部と可動側複合接合部とを同じ厚さ寸法にすることができ、更には、固定側支持部の板厚と可動側支持部の板厚とが同寸法であることで、一つのリードフレームで固定側支持部と可動側支持部とを打ち抜き加工することができ、加工工数が低減できて、製作コストを削減することができる。ここで、端子取付部材としては、例えば、ベースが該当する。
【００１７】
また、本発明に係る開閉接点構造は、上記した本発明に係る開閉接点構造において、段差部に固定バネを加締めにより固着して固定側複合接合部としての固定側複合加締め部を形成するようにしたものである。
【００１８】
かかる構成により、各開閉接点において、固定側複合加締め部と可動側複合加締め部とが同じ厚さ寸法にしてあるために、端子取付部材の圧入取付部を同じ形状にすることで、例えば、必要な極数の電磁リレーの開閉接点構造を実現するために、ａ接点、ｂ接点の数を入れ替えするような場合、ａ接点、ｂ接点の数を入れ替えすることが可能になり、端子取付部材の個数が低減できて製作コストを安価にすることができる。
【００１９】
また、本発明に係る開閉接点構造は、上記した本発明に係る開閉接点構造において、段差部に加締め用突起部を設け、固定バネに加締め用穴部を設けて、段差部に固定バネを沿わせて加締め用突起部を加締め用穴部に挿入し、加締め用突起部を加締めることで固定側複合加締め部を形成するようにしたものである。
【００２０】
かかる構成により、段差部に固定バネを沿わせて加締め用突起部を加締め用穴部に挿入し、加締め用突起部を加締めることで固定側複合加締め部を構成することで、この固定側複合加締め部と可動側複合加締め部とを同じ厚さ寸法にすることができる。
【００２１】
また、本発明に係る開閉接点構造は、上記した本発明に係る開閉接点構造において、段差部と加締め用突起部とは一体に成形加工されているものである。
【００２２】
かかる構成により、別部品としてのカシメピンが不要になって、カシメピンの供給や、固定側支持部（可動側支持部）及び固定バネ（可動バネ）への挿入が不必要になるために、これらの作業に要する金型等が無くなり、設備台数を軽減させることができる。
【００２３】
また、本発明に係る開閉接点構造は、上記した本発明に係る開閉接点構造において、段差部に固定バネを溶接により固着して固定側複合接合部を形成するようにし、可動端子の可動側支持部に可動バネを溶接により固着して可動側複合接合部を形成するようにしたものである。
【００２４】
かかる構成により、段差部に固定バネを溶接により固着して固定側複合接合部を構成することで、この固定側複合接合部と可動側複合接合部とを同じ厚さ寸法にすることができる。ここで、溶接とは、例えば、レザー溶接、スポット溶接等が該当する。
【００２６】
また、本発明は、リレーが上記発明に係る開閉接点構造のいずれか一の開閉接点構造を備えるようにしたものである。
【発明の効果】
【００２７】
本発明に係る開閉接点構造によれば、各開閉接点において、固定側複合接合部と可動側複合接合部とが同じ厚さ寸法になり、端子取付部材の圧入取付部を同じ形状にすることで、例えば、必要な極数の電磁リレーの開閉接点構造を実現するために、ａ接点、ｂ接点の数を入れ替えするような場合、端子取付部材においてａ接点、ｂ接点の数を入れ替えることが可能になり、端子取付部材の個数が低減できて製作コストを安価にすることができる。
【発明を実施するための最良の形態】
【００２８】
以下、本発明の実施の形態を図面に基づいて説明する。
【００２９】
図１に、本発明に係る開閉接点構造を有する電磁リレーの斜視図を示し、また、図２に、その下面側から見た斜視図を示し、図３に、その分解状態の斜視図を示す。なお、本発明の実施の形態の説明にあたって、便宜上、前後方向、左右方向及び上下方向を図示のように設定する。
【００３０】
この電磁リレーは、図３に示すように、左右に長く前後に幅狭く樹脂成形されたカバー１と、このカバー１上に配置される端子取付部材であるベース２と、このベース２に上下二段に亘って組付けられる本発明に係る開閉接点構造Ａと、ベース２の長手方向である左右方向に直線往復移動可能な開閉接点切換え用の移動体としてのカード５と、カバー１の長手方向の一方の側端部である左端部に組付けられる電磁石ブロック６と、カバー１に対して垂直方向である上下方向に沿う支点を中心に回動自在に支持され且つ電磁石ブロック６に対向配備されたカード駆動用の可動ブロック７と、カバー１に対して上方から外嵌装着されるケース８を備えている。
【００３１】
本発明に係る開閉接点構造Ａは多極型の上、下段の開閉接点３，４を備えており、ベース２と上、下段の開閉接点３，４とで端子ユニットＵを構成している。
【００３２】
上、下段の開閉接点３，４は、図８に示すように、左右方向（カード５の移動方向）に沿って並列であって、二段目の開閉接点である上段の開閉接点３としては、３極の接点、すなわち、左右に並列された第１，第３、第５接点３Ａ，３Ｂ、３Ｃであり、左端の第１接点３Ａは１組の常閉回路（常閉接点）（ｂ接点）を構成し、中央および右端の接点、すなわち，第３，第５接点３Ｂ，３Ｃが２組の常開回路（常開接点）（ａ接点）を構成している。また、一段目の接点である下段の開閉接点４としては、３極の接点、すなわち、左右に並列された第２，第４、第６接点４Ａ，４Ｂ、４Ｃであり、３組の常開回路（ａ接点）を構成している。
【００３３】
図８及び図９に示すように、上段の開閉接点３の第１接点３Ａは第１固定端子２０Ａと第１可動端子２１Ａとで構成してあり、第３接点３Ｂは第３固定端子２０Ｂと第３可動端子２１Ｂとで構成してあり、第５接点３Ｃは第５固定端子２０Ｃと第５可動端子２１Ｃとで構成してある。
【００３４】
また、図８及び図２３に示すように、下段の開閉接点４における第２接点４Ａは第２固定端子２２Ａと第２可動端子２３Ａとで構成してあり、第４接点４Ｂは第４固定端子２２Ｂと第４可動端子２３Ｂとで構成してあり、第６接点４Ｃは第６固定端子２２Ｃと第６可動端子２３Ｃとで構成してある。
【００３５】
また、図１０乃至図１２に示すように、第１接点３Ａでは、その第１固定端子２０Ａは、固定側支持部３４と、この固定側支持部３４に加締めにより固定された固定バネ３５と、この固定バネ３５の先端部に固着された固定接点３６を有しており、固定側支持部３４の先側に固定端子足部３７が設けてある。なお、図１０では、第１可動端子２１Ａの可動接点４０は、固定接点３６に対して離して表示してある。
【００３６】
この場合、図１３及び図１４に示すように、固定側支持部３４の内面３４ａには、固定側支持部３４の他の部分より肉厚の薄い深さ寸法ｈが０．１３ｍｍの段差部であるバネ取付部３４Ａが形成してあり、このバネ取付部３４Ａの面部には上下に加締め用突起部３４Ｂが突設してある。また、図１５に示すように、固定バネ３５の基部には取付部３５Ａが形成してあって、この取付部３５Ａには上下に加締め用穴部３５Ｂが形成してある。
【００３７】
そして、バネ取付部３４Ａに取付部３５Ａを沿わせて加締め用突起部３４Ｂを加締め用穴部３５Ｂに挿入し、加締め用突起部３４Ｂを加締めることで固定側支持部３４に固定バネ３５が取付けてあって、図１０乃至図１２に示すように、圧入部であり且つ固定側複合接合部としての固定側複合加締め部３４Ｆが形成してある。
【００３８】
また、図１７に示すように、第１接点３Ａの第１可動端子２１Ａは、可動側支持部３８と、この可動側支持部３８に加締めにより固定された可動バネ３９と、この可動バネ３９の先端部に固着された可動接点４０を有しており、可動側支持部３８の先側に可動端子足部４１が設けてある。
【００３９】
この場合、図１７及び図１８に示すように、可動側支持部３８の内面３８ａにはバネ取付部３８Ａが形成してあり、このバネ取付部３８Ａの面部には上下に加締め用突起部３８Ｂが突設してある。また、図１８に示すように、可動バネ３９の基部には取付部３９Ａが形成してあって、この取付部３９Ａには上下に加締め用穴部３９Ｂが形成してある。
【００４０】
そして、バネ取付部３８Ａに取付部３９Ａを沿わせて加締め用突起部３８Ｂを加締め用穴部３９Ｂに挿入し、加締め用突起部３８Ｂを加締めることで可動側支持部３８に可動バネ３９が取付けてあって、図１７に示すように、圧入部であり且つ可動側複合接合部としての可動側複合加締め部３８Ｆを形成している。
【００４１】
上記したように、固定側支持部３４の板厚（ｔ１＝０．５ｍｍ）（図１３参照）と可動側支持部３８の板厚（ｔ２＝０．５ｍｍ）（図１８参照）とが同寸法であり、段差部であるバネ取付部３４Ａの深さ寸法ｈが固定バネ３５の板厚（ｔ３＝０．２５ｍｍ）（図１６参照）から可動バネ３９の板厚（ｔ４＝０．１２ｍｍ）（図１８参照）を減じた値であり、バネ取付部３４Ａの深さ寸法ｈが０．１３ｍｍにしてあるために（図１４参照）、第１固定端子２０Ａの固定側支持部３４で固定バネ３５の取付部３５Ａを加締めた固定側複合加締め部分３４Ｆの厚さ寸法（ｔ５＝０．６２ｍｍ）（図１１参照）は、第１可動端子２１Ａの可動側支持部３８で可動バネ３９の取付部３９Ａを加締めた可動側複合加締め部３８Ｆの厚さ寸法（ｔ６＝０．６２ｍｍ）（図１７参照）と同じになっている。
【００４２】
また、図１９に示すように、第３接点３Ｂの第３固定端子２０Ｂは、固定側支持部２４と、この固定側支持部２４に加締めにより固定された固定バネ２５と、この固定バネ２５の先端部に固着された固定接点２６を有しており、固定側支持部２４の先側に固定端子足部２７が設けてある。
【００４３】
この場合、図２１に示すように、固定側支持部２４の内面２４ａには、固定側支持部２４の他の部分より肉厚の薄い深さ寸法ｈが０．１３ｍｍの段差部であるバネ取付部２４Ａが形成してあり、このバネ取付部２４Ａの面部には上下に加締め用突起部２４Ｂが突設してある。また、固定バネ２５の基部には取付部２５Ａが形成してあって、この取付部２５Ａには上下に加締め用穴部２５Ｂが形成してある。
【００４４】
そして、図２０に示すように、バネ取付部２４Ａに取付部２５Ａを沿わせて加締め用突起部２４Ｂを加締め用穴部２５Ｂに挿入し、加締め用突起部２４Ｂを加締めることで固定側支持部２４に固定バネ２５が取付けてあって、圧入部であり且つ固定側複合接合部としての固定側複合加締め部２４Ｆを形成している。
【００４５】
また、図１９に示すように、第３接点３Ｂの第３可動端子２１Ｂは、可動側支持部３０と、この可動側支持部３０に加締めにより固定された可動バネ３１と、この可動バネ３１の先端部に固着された可動接点３２を有しており、可動側支持部３０の先側に可動端子足部３３が設けてある。
【００４６】
この場合、図２２に示すように、可動側支持部３０の内面３０ａにはバネ取付部３０Ａが形成してあり、このバネ取付部３０Ａの面部には上下に加締め用突起部３０Ｂが突設してある。また、可動バネ３１の基部には取付部３１Ａが形成してあって、この取付部３１Ａには上下に加締め用穴部３１Ｂが形成してある。
【００４７】
そして、バネ取付部３０Ａに取付部３１Ａを沿わせて加締め用突起部３０Ｂを加締め用穴部３１Ｂに挿入し、加締め用突起部３０Ｂを加締めることで可動側支持部３０に可動バネ３１が取付けてあって、図１９に示すように、圧入部であり且つ可動側複合接合部としての可動側複合加締め部３０Ｆを形成している。
【００４８】
固定バネ２５と可動バネ３１では、それぞれに板厚が異なり、板厚差で０．１３ｍｍ程度あるが、上記したように、バネ取付部２４Ａの深さ寸法ｈが０．１３ｍｍにしてあるために、第２固定端子２０Ｂの固定側支持部２４で固定バネ２５の取付部２５Ａを加締めた固定側複合加締め部分２４Ｆの厚さ寸法（ｔ５＝０．６２ｍｍ）（図１９参照）は、第３可動端子２１Ｂの可動側支持部３０で可動バネ３１の取付部３１Ａを加締めた可動側複合加締め部３１Ｆの厚さ寸法（ｔ６＝０．６２ｍｍ）（図１９参照）と同じになっている。
【００４９】
また、図１９に示すように、第５接点３Ｃは第５接点３Ｂと同構成であって、この第５接点３Ｃにおける第５固定端子２０Ｃは第３固定端子２０Ｂと同構成であり、第５可動端子２１Ｃは第３可動端子２１Ｂと同構成である。したがって、同じ符号を付して説明を省略するが、第５固定端子２０Ｃの固定端子足部を２７−１とし、第５可動端子２１Ｃの可動端子足部を３３−１とする。
【００５０】
上記した下段の開閉接点４において、図２３及び図２４に示すように、第２接点４Ａの第２固定端子２２Ａは、固定側支持部４２と、固定側支持部４２に加締めにより固定された固定バネ４３と、この固定バネ４３の先端部に固着された固定接点４４を有しており、固定側支持部４２の先側に固定端子足部４５が設けてある。
【００５１】
この場合、図２７及び図２８に示すように、固定側支持部４２の内面４２ａには、固定側支持部４２の他の部分より肉厚の薄い深さ寸法ｈが０．１３ｍｍの段差部であるバネ取付部４２Ａが形成してあり、このバネ取付部４２Ａの面部には上下に加締め用突起部４２Ｂが突設してある。また、図２６に示すように、固定バネ４３の基部には取付部４３Ａが形成してあって、この取付部４３Ａには上下に加締め用穴部４３Ｂが形成してある。
【００５２】
そして、バネ取付部４２Ａに取付部４３Ａを沿わせて加締め用突起部４２Ｂを加締め用穴部４３Ｂに挿入し、加締め用突起部４２Ｂを加締めることで固定側支持部４２に固定バネ４３が取付けてあって、図２６に示すように、圧入部であり且つ固定側複合接合部としての固定側複合加締め部４２Ｆを形成している。
【００５３】
また、図２９及び図３０に示すように、第２接点４Ａの第２可動端子２３Ａは、可動側支持部４６と、この可動側支持部４６に加締めにより固定された可動バネ４７と、この可動バネ４７の先端部に固着された可動接点４８を有しており、可動側支持部４６の先側に可動端子足部４９が設けてある。
【００５４】
この場合、図３０に示すように、可動側支持部４６の内面４６ａにはバネ取付部４６Ａが形成してあり、このバネ取付部４６Ａの面部には上下に加締め用突起部４６Ｂが突設してある。また、可動バネ４７の基部には取付部４７Ａが形成してあって、この取付部４７Ａには上下に加締め用穴部４７Ｂが形成してある。
【００５５】
そして、バネ取付部４６Ａに取付部４７Ａを沿わせて加締め用突起部４６Ｂを加締め用穴部４７Ｂに挿入し、加締め用突起部４６Ｂを加締めることで可動側支持部４６に可動バネ４７が取付けてあって、図２９に示すように、圧入部であり且つ可動側複合接合部としての可動側複合加締め部４６Ｆを形成している。
【００５６】
固定バネ４３と可動バネ４７では、それぞれに板厚が異なり、板厚差で０．１３ｍｍあるが、上記したように、バネ取付部４２Ａの深さ寸法ｈが０．１３ｍｍにしてあるために、第４固定端子２２Ａの固定側支持部４２で固定バネ４３の取付部４３Ａを加締めた固定側複合加締め部分４２Ｆの厚さ寸法（ｔ５＝０．６２ｍｍ）（図２５参照）は、第２可動端子２３Ｂの可動側支持部４６で可動バネ４７の取付部４７Ａを加締めた可動側複合加締め部４７Ｆの厚さ寸法（ｔ６＝０．６２ｍｍ）（図２５参照）と同じになっている。
【００５７】
また、図２３及び図２４に示すように、第４接点４Ｂ及び第６接点４Ｃは第２接点４Ａと同構成であって、この第４接点５Ｂにおける第４固定端子２２Ｂ及び第６接点４Ｃにおける第６固定端子２２Ｃは第４固定端子２２Ａと同構成であり、第４可動端子２３Ｂ及び第６可動端子２３Ｃは第２可動端子２３Ａと同構成である。したがって、同じ符号を付して説明を省略するが、第４固定端子２２Ｂの固定端子足部を４５−１とし、第６固定端子２２Ｃの固定端子足部を４５−２とし、第４可動端子２３Ｂの可動端子足部を４９−１とし、第６可動端子２３Ｂの可動端子足部を４９−２とする。
【００５８】
そして、第１〜第６可動端子２１Ａ，２３Ａ，２１Ｂ，２３Ｂ，２１Ｃ，２３Ｃは、それぞれの可動バネ３１，３９，４７の先端部（自由端部）にカード係止部５０を有している。
【００５９】
上記したように、固定側支持部３４の内面３４（２４，４２）に深さ寸法ｈが０．１３ｍｍのバネ取付部３４Ａ（２４Ａ，４２Ａ）を形成し、このバネ取付部３４Ａ（２４Ａ，４２Ａ）の面部に加締め用突起部３４Ｂ（３８Ｂ，２４Ｂ，４２Ｂ）を突設するには、図３１に示す段付加工と突出加工とを一つの工程により行い、固定側支持部３４（２４，４２）の内面３４ａ（２４ａ，４２ａ）にバネ取付部３４Ａ（２４Ａ，４２Ａ）と加締め用突起部３４Ｂ（２４Ｂ，４２Ｂ）を同時に形成する。
【００６０】
カバー１には、図２及び図３に示すように、その長手方向である左右方向に所定の間隔をおいて、第１固定端子貫通孔部１４Ａと、第３可動端子貫通孔部１４Ｂと、第５可動端子貫通孔部１４Ｃが形成してある。また、カバー１には、左右方向に所定の間隔をおいて、第２固定端子貫通孔部１０Ａと、第４固定端子貫通孔部１０Ｂと、第６固定端子貫通孔部１０Ｃが形成してあり、また、カバー１の内面１ａには、カバー側隔壁１１Ａ，１１Ｂ，１１Ｃ，１１Ｄ，１１Ｅ，１１Ｆが突設してあって、カバー側隔壁１１Ｄの前端部側に第２固定端子貫通孔部１０Ａが位置しており、カバー側隔壁１１Ｅの前端部側に第４固定端子貫通孔部１０Ｂが位置しており、カバー側隔壁１１Ｆの前端部側に第６固定端子貫通孔部１０Ｃが位置している。
【００６１】
また、カバー１の後側縁部（短手方向の一辺縁部）には、切欠き部１２Ａ，１２Ｂ，１２Ｃ，１２Ｄが、カバー１の左右方向に所定の間隔をおいて形成してある。また、カバー１には、その左端部にコイル端子貫通孔部１５Ａ，１５Ｂが形成してある。
【００６２】
ベース２は、図６に示すように、上段の開閉接点３と下段の開閉接点４とを隔絶するプレート状のベース本体５１を有しており、このベース本体５１の前側部には移動体保持部であるカード保持部１２０が形成してあり、ベース本体５１の左端部にはブロック取付部１１０が設けてある。
【００６３】
ベース本体５１の一方の面部である上面部５１ａには、第１接点装着部５２Ａと、第３接点装着部５２Ｂと、第５接点装着部５２Ｃが設けてあり、これらの第１接点装着部５２Ａ、第３接点装着部５２Ｂ及び第５接点装着部５２Ｃは二段目開閉接点装着部を構成する。また、第１接点装着部５２Ａと第３接点装着部５２Ｂとは隔壁５５，５６により区画してあり、第３接点装着部５２Ｂと第５接点装着部５２Ｃとは隔壁５７により区画してあり、ベース本体５１における隔壁５５，５６間は開口部５８にしてある。この開口部５８の後端部には復帰ばね取付部５９が形成してある。
【００６４】
そして、図６に示すように、第１接点装着部５２Ａは第１固定端子装着部５３と第１可動端子装着部５４を備えており、第１固定端子装着部５３と第１可動端子装着部５４との間に隔壁６０が設けてある。そして、第１固定端子装着部５３には、圧入取付部としての端子圧入凹部６１と固定端子挿入孔部６２が設けてあり、第１可動端子装着部５４には、圧入取付部としての端子圧入凹部６３と可動端子挿入孔部６４が設けてある。
【００６５】
また、図６に示すように、第３接点装着部５２Ｂは第３可動端子装着部６５と第３固定端子装着部６６を備えており、第３可動端子装着部６５と第３固定端子装着部６６との間に隔壁６７が設けてある。そして、第３可動端子装着部６５には、圧入取付部としての端子圧入凹部６８と固定端子挿入孔部７１が設けてあり、第３固定端子装着部６６には、圧入取付部としての端子圧入凹部７０と可動端子挿入孔部６９が設けてある。
【００６６】
また、第５接点装着部５２Ｃは第５可動端子装着部７２と第５固定端子装着部７３を備えており、第５可動端子装着部７２と第５固定端子装着部７３との間には隔壁７４が設けてある。そして、第５可動端子装着部７２には、圧入取付部としての端子圧入凹部７５と可動端子挿入孔部７６とが設けてあり、第５固定端子装着部７３には、圧入取付部としての端子圧入凹部７７と固定端子挿入孔部７８が設けてある。
【００６７】
そして、端子圧入凹部６１，６８，７５は、それぞれに右側壁部に加締め部挿入溝６１ａ，６８ａ，７５ａを有していて同構成にしてあり、端子圧入凹部６３，７０，７７は、それぞれに左側壁部に加締め部挿入溝６３ａ，７０ａ，７７ａを有していて同構成にしてある。
【００６８】
また、図７に示すように、ベース本体５１の他方の面部である下面部５１ｂには、第２接点装着部７９Ａと、第４接点装着部７９Ｂと、第６接点装着部７９Ｃが設けてある。これらの第２接点装着部７９Ａ、第４接点装着部７９Ｂ及び第６接点装着部７９Ｃは一段目開閉接点装着部を構成する。また、第２接点装着部７９Ａと第４接点装着部７９Ｂとは隔壁５５Ａ，５６Ａにより区画してあり、第４接点装着部７９Ｂと第６接点装着部７９Ｃとは隔壁５７Ａにより区画してある。
【００６９】
また、図７に示すように、第２接点装着部７９Ａは第２固定端子装着部８２と第２可動端子装着部８３を備えており、第２固定端子装着部８２と第２可動端子装着部８３との間には隔壁８４が設けてある。そして、第２固定端子装着部８２には、圧入取付部としての端子圧入凹部８５が設けてあり、第２可動端子装着部８３には、圧入取付部としての端子圧入凹部８６が設けてある。
【００７０】
また、第４接点装着部７９Ｂは第４固定端子装着部８７と第４可動端子装着部８８を備えており、第４固定端子装着部８７と第４可動端子装着部８８との間には隔壁８９が設けてある。そして、第４固定端子装着部８７には、圧入取付部としての端子圧入凹部９０が設けてあり、第４可動端子装着部８８には、圧入取付部としての端子圧入凹部９１が設けてある。
【００７１】
また、第６接点装着部７９Ｃは第６固定端子装着部９２と第６可動端子装着部９３を備えており、第６固定端子装着部９２と第６可動端子装着部９３との間には隔壁９４が設けてある。そして、第６固定端子装着部９２には、圧入取付部としての端子圧入凹部９５が設けてあり、第６可動端子装着部９３には、圧入取付部としての端子圧入凹部９６が設けてある。
【００７２】
そして、端子圧入凹部８５，９０，９５とは、それぞれに左側壁部に加締め部挿入溝８５ａ，９０ａ，９５ａを有していて同構成にしてあり、端子圧入凹部８６、９１、９６とは、それぞれに右側壁部に加締め部挿入溝８６ａ，９２ａ，９６ａを有していて同構成にしてある。
【００７３】
そして、図７に示すように、ベース本体５１の下面部５１ｂには、端子挿入孔部６２が開口した第１の端子保持部９７と、端子挿入孔部７１が開口した第２の端子保持部９８と、端子挿入孔部７６が開口した第３の端子保持部９９が突設してあり、また、ベース本体５１の下面部５１ｂの後縁部には、端子挿入孔部６４が開口した第４の端子保持部１００と、端子挿入孔部６９が開口し且つ保持溝部１０１ａを有する第５の端子保持部１０１と、端子挿入孔部７８が開口し且つ保持溝部１０２ａを有する第６の端子保持部１０２と、保持溝部１２１ａを有する第７の端子保持部１２１が突設してある。
【００７４】
上記のように構成されたベース２において、図４に示すように、第１接点装着部５２Ａの第１固定端子装着部５３には、第１固定端子２０Ａが装着してある。この場合、固定側支持部３４の固定側複合加締め部３４Ｆが端子圧入凹部６１に圧入してあり、また、第１固定端子２０Ａの固定端子足部３７が固定端子挿入孔部６２に挿入してあって、ベース２の下方に突出している。
【００７５】
また、図４に示すように、第１接点装着部５２Ａの第１可動端子装着部５４には第１可動端子２１Ａが装着してある。この場合、可動側支持部３８の可動側複合加締め部３８Ｆが端子圧入凹部６３に圧入してあり、また、第１可動端子２１Ａの可動端子足部４１が可動端子挿入孔部６４に挿入してあって、ベース２の下方に突出している。
【００７６】
また、図４に示すように、第３接点装着部５２Ｂの第３可動端子装着部６５には第３可動端子２１Ｂが装着してある。この場合、可動側支持部３０の可動側複合加締め部３０Ｆが端子圧入凹部６９に圧入してあり、また、第３可動端子２１Ｂの可動端子足部３３が可動端子挿入孔部７１に挿入してあって、ベース２の下方に突出している。
【００７７】
また、図４に示すように、第３接点装着部５２Ｂの第３固定端子装着部６６には第３固定端子２０Ｂが装着してある。この場合、固定側支持部２４の固定側複合加締め部２４Ｆが端子圧入凹部７０に圧入してあり、また、第３固定端子２０Ｂの固定端子足部２７が固定端子挿入孔部６９に挿入してあって、ベース２の下方に突出している。
【００７８】
また、図４に示すように、第５接点装着部５２Ｃの第５可動端子装着部７２には第５可動端子２１Ｃが装着してある。この場合、可動側支持部３０の可動側複合加締め部３０Ｆが端子圧入凹部７５に圧入してあり、また、第５可動端子２１Ｃの可動端子足部３３−１が可動端子挿入孔部７６に挿入してあって、ベース２の下方に突出している。
【００７９】
また、第５固定端子装着部７３には第５固定端子２０Ｃが装着してある。この場合、固定側支持部２４の固定側複合加締め部２４Ｆが端子圧入凹部７７に圧入してあり、また、第５固定端子２０Ｃの固定端子足部２７−１が固定端子挿入孔部７８に挿入してあって、ベース２の下方に突出している。
【００８０】
また、図５に示すように、第２接点装着部７９Ａの第２固定端子装着部８２には第２固定端子２２Ａが装着してあり、この場合、固定側側持部４２の固定側複合加締め部４２Ｆが端子圧入凹部８５に圧入してあり、また、第２固定端子２２Ａの固定端子足部４５がベース２の下方に突出している。
【００８１】
また、第２可動端子装着部８３には第２可動端子２３Ａが装着してあり、この場合、可動側支持部４６の可動側複合加締め部４６Ｆが端子圧入凹部８６に圧入してあり、第２可動端子２３Ａの可動端子足部４９が、保持溝部１０１ａに保持された状態でベース２の下方に突出している。
【００８２】
また、第４固定端子装着部８７には第４固定端子２２Ｂが装着してあり、この場合、固定側支持部４２の固定側複合加締め部４２Ｆが端子圧入凹部９０に圧入してあり、また、第４固定端子２２Ｂの固定端子足部４５−１がベース２の下方に突出している。
【００８３】
また、第４可動端子装着部８８には第４可動端子２３Ｂが装着してあり、この場合、可動側支持部４６の可動側複合加締め部４６Ｆが端子圧入凹部９１に圧入してあり、第４可動端子２３Ｂの可動端子足部４９−１が、保持溝部１０２ａに保持された状態でベース２の下方に突出している。
【００８４】
また、第６固定端子装着部９２には第６固定端子２２Ｃが装着してあり、この場合、固定側支持部４２の固定側複合加締め部４２Ｆが端子圧入凹部９５に圧入してあり、また、第６固定端子２２Ｃの固定端子足部４５−２がベース２の下方に突出している。
【００８５】
また、第６可動端子足部９３には第６可動端子２３Ｃが装着してあり、この場合、可動側支持部４６の可動側複合加締め部４６Ｆが端子圧入凹部９６に圧入してあり、第６可動端子２３Ｃの可動端子足部４９−２が、保持溝部１２１に保持された状態でベース２の下方に突出している。
【００８６】
そして、ベース本体５１における隔壁５６，５７間の開口部５８には、先端にカード係止部１０３Ａを有する復帰ばね１０３が配置してあり、この復帰ばね１０３は復帰ばね取付部５９に取付けてある。
【００８７】
また、図４に示すように、ブロック取付部１１０には電磁石ブロック６が取付けてあるし、この電磁石ブロック６の各ヨーク１０８の屈曲端部側に可動ブロック７が配置してあり、可動ブロック７は、ブロック取付部１１０に支承された支点軸１１５に回動自在に支持されている。
【００８８】
また、図４に示すように、ベース２のベース本体５１には、カード保持部１２０によって、カード５が左右方向に直線スライド可能に案内保持されており、カード５には、第１〜第６可動端子２１Ａ，２３Ａ，２１Ｂ，２３Ｂ，２１Ｃ，２３Ｃのそれぞれの可動バネ３１，３９，４７の先端のカード係止部５０と、復帰ばね１０３の先端のカード係止部１０３Ａが係止してあり、カード５の左右往復移動によって各可動バネ３１，３９，４７が変位されて開閉接点切換えが行われるようになっている。なお、このカード５には、復帰ばね１０３の弾性力によって常に電磁石ブロック６側への復帰力が付与されている。
【００８９】
上記したように、電磁ブロック６、可動ブロック７及びカード５を組付けた端子ユニットＵは、図２に示すように、カバー１に装着してある。この場合、図２に示すように、第１の端子保持部９７がカバー１の第１固定端子貫通孔部１４Ａに臨んでいて、この第１固定端子貫通孔部１４Ａに固定端子足部３７が貫通しており、第２の端子保持部９８がカバー１の第３可動端子貫通孔部１４Ｂに臨んでいて、この第３可動端子貫通孔部１４Ｂに可動端子足部３３が貫通しており、第３の端子保持部９９がカバー１の第５可動端子貫通孔部１４Ｃに臨んでいて、この第５可動端子貫通孔部１４Ｃに可動端子足部３３−１が貫通してある。
【００９０】
また、第４の端子保持部１００がカバー１の切欠き部１２Ａに挿入してあり、第５の端子保持部１０１がカバー１の切欠き部１２Ｂに挿入してあり、第６の端子保持部１０２がカバー１の切欠き部１２Ｃに挿入してあり、また、第７の端子保持部１２１がカバー１の切欠き部１２Ｄに挿入してある。
【００９１】
また、第２固定端子２２Ａ、第４固定端子２２Ｂ及び第６固定端子２２Ｃのそれぞれの固定端子足部４５，４５−１，４５−２がカバー１の第２固定端子貫通孔部１０Ａ、第４固定端子貫通孔部１０Ｂ及び第６固定端子貫通孔部１０Ｃに貫通している。
【００９２】
そして、カバー１に対して上方から、電磁石ブロック６、可動ブロック７及びカード５を組付けた端子ユニットＵを覆うようにしてケース８が着脱可能に装着してある。
【００９３】
この場合、電磁石ブロック６および可動ブロック７は、この可動ブロック７の支点を中心とした支持軸１１５の仮想軸線が、カバー１の面部に対して、上下方向に延びるように、すなわち、カバー１に対して、倒れ姿勢で配置される一方、上、下段の開閉接点３，４を構成する第１〜第６固定端子２０Ａ，２２Ａ，２０Ｂ，２２Ｂ，２０Ｃ，２２Ｃの固定バネ２５，３５，４３及び第１〜第６可動端子２１Ａ，２３Ａ，２１Ｂ，２３Ｂ，２１Ｃ，２３Ｃの可動バネ３１，３９，４７も、その長手方向が、カバー１の面部に対して平行になるように、すなわち、カバー１に対して、倒れ姿勢になるように配置される。
【００９４】
そして、コイル２７への通電が断たれている非励磁時には、可動ブロック７は、復帰ばね１０３の復帰力により時計回り方向に回動しており、図４に示すように、上段の開閉接点３では、第１接点３Ａが閉作動し、第３接点３Ｂ及び第５接点３Ｃが開作動しており、また、下段の開閉接点４では、第２接点４Ａ、第４接点４Ｂ及び第６接点４Ｃのそれぞれが開作動している。
【００９５】
また、コイル２７へ通電された励磁時には、可動ブロック７は復帰ばね１０３の復帰力に抗して反時計回り方向に回動してカード５が左方にスライド移動されて上、下段の開閉接点３，４の切換えが行われて、上段の開閉接点３では、第１接点３Ａが開作動し、第３接点３Ｂ、第５接点３Ｃが閉作動し、また、下段の開閉接点３では、第２接点４Ａ、第４接点４Ｂ及び第６接点４Ｃのそれぞれが閉作動する。
【００９６】
上記したように、本発明の実施の形態によれば、固定側支持部２４、３４，４２の板厚と可動側支持部３０、３８，４６の板厚とが同寸法であり、段差部であるバネ取付部２４Ａ、３４Ａ，４２Ａの深さ寸法が固定バネ２５，３５，４３の板厚から可動バネ３１，３９，４７の板厚を減じた値であるし、バネ取付部２４Ａ、３４Ａ，４２Ａに固定バネ２５，３５，４３を沿わせて加締め用突起部２４Ｂ，３４Ｂ，４２Ｂを加締め用穴部２５Ｂ，３５Ｂ，４３Ｂに挿入し、加締め用突起部２４Ｂ，３４Ｂ，４２Ｂを加締めることで固定側複合加締め部２４Ｆ，３４Ｆ，４２Ｆとし、可動側支持部３０、３８，４６の面部に可動バネ３１，３９，４７を沿わせて加締め用突起部３１Ｂ，３８Ｂ，４６Ｂを加締め用穴部３１Ｂ，３９Ｂ，４７Ｂに挿入し、加締め用突起部３１Ｂ，３８Ｂ，４６Ｂを加締めることで可動側複合加締め部３０Ｆ，３８Ｆ，４６Ｆが形成してあり、固定側複合加締め部２４Ｆ，３４Ｆ，４２Ｆと可動側複合加締め部３０Ｆ，３８Ｆ，４６Ｆとが同じ厚さ寸法にしてあるために、ベース２の端子圧入凹部（６１，６８，７５），（８５，９０，９５）を同じ形状にすることで、必要な極数の電磁リレーの開閉接点構造を実現するために、ａ接点、ｂ接点の数を入れ替えするような場合、ａ接点、ｂ接点の数を入れ替えが可能になり、ベース２の個数が低減できて製作コストを安価にすることができる。
【００９７】
また、本発明の実施の形態によれば、固定側支持部２４、３４，４２の板厚と可動側支持部３０、３８，４６の板厚とが同寸法であることで、一つのリードフレームで固定側支持部２４、３４，４２と可動側支持部３０、３８，４６とを打ち抜き加工することができ、加工工数が低減できて、製作コストを削減することができる。
【００９８】
また、本発明の実施の形態によれば、段差部であるバネ取付部２４Ａ、３４Ａ，４２Ａと加締め用突起部２４Ｂ，３４Ｂ，４２Ｂとは段付き加工と突き出し加工とを一つの工程で行い、同時に一体に成形されることにより、別部品としてのカシメピンが不要になって、カシメピンの供給や、固定側支持部（可動側支持部）及び固定バネ（可動バネ）への挿入が不必要になるために、これらの作業に要する金型等が無くなり、設備台数を軽減させることができる。
【００９９】
上記した本発明の実施の形態では、段差部であるバネ取付部２４Ａ、３４Ａ，４２Ａに固定バネ２５，３５，４３を加締めにより固着して固定側複合接合部としての固定側複合加締め部２４Ｆ，３４Ｆ，４２Ｆを形成するようにしたが、段差部であるバネ取付部２４Ａ、３４Ａ，４２Ａに固定バネ２５，３５，４３を溶接（レザー溶接、スポット溶接等）により固着して固定側複合接合部を形成することは可能であり、また、可動側支持部３０、３８，４６の面部に可動バネ３１，３９，４７を溶接（レザー溶接、スポット溶接等）により接合することで可動側複合接合部を形成することは可能であって、固定側複合接合部と可動側複合接合部とを同じ厚さ寸法にすることができる。
【産業上の利用可能性】
【０１００】
本発明に係る開閉接点構造によれば、各開閉接点において、固定側複合接合部（固定側複合加締め部）と可動側複合接合部（可動側複合加締め部）とが同じ厚さ寸法にしてあるために、端子取付部材の圧入取付部を同じ形状にすることで、例えば、必要な極数の電磁リレーの開閉接点構造を実現するために、ａ接点、ｂ接点の数を入れ替えするような場合、ａ接点、ｂ接点の数を入れ替えが可能になり、端子取付部材の個数が低減できて製作コストを安価にすることができるという効果を有しており、複数の開閉接点を備えた多極型の電磁リレー等の開閉接点構造並びにかかる開閉接点構造を備えたリレーに有用である。
【図面の簡単な説明】
【０１０１】
【図１】電磁リレーの斜視図である。
【図２】同電磁リレーを、その下面側から見た斜視図である。
【図３】同電磁リレーの分解状態の斜視図である。
【図４】ケース及びカバーを取外した電磁リレーの上面図である。
【図５】ケース及びカバーを取外した電磁リレーの下面図である。
【図６】ベースの上面図である。
【図７】ベースの下面図である。
【図８】本発明に係る開閉接点構造を前面側から見た斜視図である。
【図９】同開閉接点構造における上段（二段目）の開閉接点を後面側から見た斜視図である。
【図１０】上段（二段目）の開閉接点における第１接点の斜視図である。
【図１１】同第１接点の平面図である。
【図１２】同第１接点における固定端子の斜視図である。
【図１３】同第１接点における固定側支持部の斜視図である。
【図１４】同固定側支持部の平面図である。
【図１５】第１接点における固定バネの斜視図である。
【図１６】同固定バネの平面図である。
【図１７】第１接点における可動端子の斜視図である。
【図１８】同可動端子の分解状態の斜視図である。
【図１９】上段（二段目）の開閉接点における第３、第５接点の斜視図である。
【図２０】第３、第５接点の固定端子の斜視図である。
【図２１】第３、第５接点の固定端子の分解状態の斜視図である。
【図２２】第３、第５接点の可動端子の分解状態の斜視図である。
【図２３】下段（一段目）の開閉接点を後面側から見た斜視図である。
【図２４】下段（一段目）の開閉接点における第２、第４、第６接点の斜視図である。
【図２５】同第２、第４、第６接点の平面図である。
【図２６】同第２、第４、第６接点における固定端子の斜視図である。
【図２７】同固定端子の固定側支持部の斜視図である。
【図２８】同固定端子の固定側支持部の平面図である。
【図２９】第２、第４、第６接点における可動端子の斜視図である。
【図３０】同可動端子の分解状態の斜視図である。
【図３１】固定側支持部の内面にバネ取付部と加締め用突起部を形成する成形加工の説明図である。
【図３２】従来の開閉接点構造における固定端子の斜視図である。
【図３３】従来の開閉接点構造における固定端子の斜視図である。
【符号の説明】
【０１０２】
Ｕ          端子ユニット
１          カバー
２          ベース（端子取付部材）
３          上段の開閉接点（二段目の開閉接点）
３Ａ        第１接点
３Ｂ        第３接点
３Ｃ        第５接点
４          下段の開閉接点（一段目の開閉接点）
４Ａ        第２接点
４Ｂ        第４接点
４Ｃ        第６接点
２０Ａ      第１固定端子
２０Ｂ      第３固定端子
２０Ｃ      第５固定端子
２１Ａ      第１可動端子
２１Ｂ      第３可動端子
２１Ｃ      第５可動端子
２２Ａ      第２固定端子
２２Ｂ      第４固定端子
２２Ｃ      第６固定端子
２３Ａ      第２可動端子
２３Ｂ      第４可動端子
２３Ｃ      第６可動端子
２４        固定側支持部
２４Ａ      バネ取付部（段差部）
２４Ｂ      加締め用突起部
２４Ｆ      固定側複合加締め部（圧入部）（固定側複合接合部）
２５        固定バネ
２５Ａ      取付部
２５Ｂ      加締め用穴部
２６        固定接点
２７        固定端子足部
２７−１    固定端子足部
３０        可動側支持部
３０Ａ      バネ取付部
３０Ｂ      加締め用突起部
３０Ｆ      可動側複合加締め部（圧入部）（可動側複合接合部）
３１        可動バネ
３１Ａ      取付部
３１Ｂ      加締め用穴部
３２        可動接点
３３        可動端子足部
３３−１    可動端子足部
３４        固定側支持部
３４Ａ      バネ取付部（段差部）
３４Ｂ      固定側加締め用突起部
３４Ｆ      固定側複合加締め部（圧入部）（固定側複合接合部）
３５        固定バネ
３５Ａ      取付部
３５Ｂ      加締め用穴部
３６        固定接点
３７        固定端子足部
３８        可動側支持部
３８Ａ      バネ取付部
３８Ｂ      加締め用突起部
３８Ｆ      可動側複合加締め部（圧入部）（可動側複合接合部）
３９        可動バネ
３９Ａ      取付部
３９Ｂ      加締め用穴部
４０        可動接点
４１Ａ      可動端子足部
４２        固定側支持部
４２Ａ      バネ取付部（段差部）
４２Ｂ      加締め用突起部
４２Ｆ      固定側複合加締め部（圧入部）（固定側複合接合部）
４３        固定バネ
４３Ａ      取付部
４３Ｂ      加締め用穴部
４４        固定接点
４５        固定端子足部
４５−１    固定端子足部
４５−２    固定端子足部
４６        可動側支持部
４６Ａ      バネ取付部
４６Ｂ      加締め用突起部
４６Ｆ      可動側複合加締め部（圧入部）（可動側複合接合部）
４７        可動バネ
４７Ａ      取付部
４７Ｂ      加締め用穴部
４８        固定接点
４９        可動端子足部
４９−１    可動端子足部
６１        端子圧入凹部（圧入取付部）
６８        端子圧入凹部（圧入取付部）
７５        端子圧入凹部（圧入取付部）
８５        端子圧入凹部（圧入取付部）
９０        端子圧入凹部（圧入取付部）
９５        端子圧入凹部（圧入取付部）
【図１】
0004788355.tif 000002
【図２】
0004788355.tif 000003
【図３】
0004788355.tif 000004
【図４】
0004788355.tif 000005
【図５】
0004788355.tif 000006
【図６】
0004788355.tif 000007
【図７】
0004788355.tif 000008
【図８】
0004788355.tif 000009
【図９】
0004788355.tif 000010
【図１０】
0004788355.tif 000011
【図１１】
0004788355.tif 000012
【図１２】
0004788355.tif 000013
【図１３】
0004788355.tif 000014
【図１４】
0004788355.tif 000015
【図１５】
0004788355.tif 000016
【図１６】
0004788355.tif 000017
【図１７】
0004788355.tif 000018
【図１８】
0004788355.tif 000019
【図１９】
0004788355.tif 000020
【図２０】
0004788355.tif 000021
【図２１】
0004788355.tif 000022
【図２２】
0004788355.tif 000023
【図２３】
0004788355.tif 000024
【図２４】
0004788355.tif 000025
【図２５】
0004788355.tif 000026
【図２６】
0004788355.tif 000027
【図２７】
0004788355.tif 000028
【図２８】
0004788355.tif 000029
【図２９】
0004788355.tif 000030
【図３０】
0004788355.tif 000031
【図３１】
0004788355.tif 000032
【図３２】
0004788355.tif 000033
【図３３】
0004788355.tif 000034